(57)【特許請求の範囲】
【請求項１】
浴室用防水パンを用いて浴室を構築する方法において、洗い場パン部及び洗い場パン部に連なる壁載置部が一体の洗い場側防水パンと、浴槽載置パン部及び浴槽載置パン部に連なる壁載置部が一体の浴槽側防水パンとを合成樹脂素材で成形型を用いて一体又は別体に成型して浴室用防水パンを得る第１工程と、浴室用防水パンを切断して洗い場パン部及び浴槽載置パン部からなるパン部と壁載置部とに分離する第２工程と、施工床部に分離した壁載置部または予め別途成形した壁載置部を設置する第３工程と、壁載置部に壁部を載置して建て込む第４工程と、施工床部にパン部を設置する第５工程とからなり第１工程乃至第５工程をこの順番で行うことを特徴とする浴室の構築方法。
【請求項２】
前記壁載置部及び前記パン部の両方を設置するための架台を用い、前記第３工程において該架台を前記施工床部に配置する請求項１記載の浴室の構築方法。
【請求項３】
前記パン部を設置する支持部と前記壁載置部を一体に備えた架台を用い、前記第３工程において該架台を前記施工床部に配置する請求項１記載の浴室の構築方法。
【発明の詳細な説明】
【技術分野】
【０００１】
本発明は、浴室の構築方法に関するものである。
【背景技術】
【０００２】
従来、浴室を構築する浴室用防水パンは、洗い場パン部及び浴槽載置パン部と、洗い場パン部及び浴槽載置パン部に連ねた壁載置部とを一体に備え、壁載置部に壁部を載置して建て込むようにしてある（特許文献１）。
【特許文献１】実開昭６１−８４７７１
【発明の開示】
【発明が解決しようとする課題】
【０００３】
ところで、前記浴室用防水パンを浴室のリフォームに用いるときには、防水パンを設置した後で、壁載置部に壁部を建て込もうとしても、建物壁等が邪魔となり壁部の建て込みができないことがある。このような場合には、壁部の建て込みができる状態まで建物壁等を取り壊す必要があり、作業が大掛かりとなる問題がある。この問題は、殊にマンション等の集合住宅の場合に多い。
【０００４】
また、前記浴室用防水パンを用いて浴室を構築した後に、防水パン床下や床下の回りで配管や改修等の作業の必要が生じたとき、浴室外側から作業をしようとしても、建物壁等が邪魔となり作業ができないことがある。このような場合には、浴室を解体し、配管等の作業を行った後に、再度、浴室を構築する必要があり、配管等の作業以外の附帯作業が大掛かりとなる問題がある。
【０００５】
本発明は、上記問題を解決するための浴室の構築方法を提供するものであって、防水パン等の製造コストの上昇を押さえて低コストで施工できる構築方法とすることを目的とするものである。
【課題を解決するための手段】
【０００６】
大掛かりな作業とならずに浴室を構築できるようにし、浴室を構築した後に生じる防水パン床下や床下回りの作業を行うために別途行う附帯作業が大掛かりとならないようにし、更に防水パン等の製造コストの上昇を押さえるようにするために請求項１記載の本発明が採用した手段は、浴室用防水パンを用いて浴室を構築する方法において、洗い場パン部及び洗い場パン部に連なる壁載置部が一体の洗い場側防水パンと、浴槽載置パン部及び浴槽載置パン部に連なる壁載置部が一体の浴槽側防水パンとを合成樹脂素材で成形型を用いて一体又は別体に成型して浴室用防水パンを得る第１工程と、浴室用防水パンを切断して洗い場パン部及び浴槽載置パン部からなるパン部と壁載置部とに分離する第２工程と、施工床部に分離した壁載置部または予め別途成形した壁載置部を設置する第３工程と、壁載置部に壁部を載置して建て込む第４工程と、施工床部にパン部を設置する第５工程とからなり第１工程乃至第５工程をこの順番で行うことを特徴とする浴室の構築方法である。
【０００７】
請求項１記載の発明に係る浴室の構築方法では、施工床部に設置面積の大きなパン部を設置する前に、施工床部にパン部より設置面積の小さな壁載置部を設置して壁部を建て込むので、浴室内となる予定の広い空間を利用して壁載置部の設置及び壁部の建て込みができる。また、パン床下や床下回りでの作業の必要が生じたとき、本発明に係る浴室の構築方法で構築された浴室は、壁載置部に建て込んだ壁部を解体することなく、壁載置部と別体のパン部を分離して床下部分を露出させることで、床下部分を露出させるための附帯作業を簡単にできる。更に、本発明に係る浴室の構築方法にあっては、壁載置部を一体に備えた浴室用防水パンを成型する成形型を用いるため、壁載置部のない防水パンを成型するための大きな成形型を新たに準備する必要がなく、また、予め別途成形した壁載置部を用いる場合であっても、壁載置部は、パン部に比べて小さいために安価に製造することが可能である。
【０００８】
施工を容易にするために請求項２記載の本発明が採用した手段は、前記壁載置部及び前記パン部の両方を設置するための架台を用い、前記第３工程において該架台を前記施工床部に配置する請求項１記載の浴室の構築方法である。
【０００９】
請求項２記載の発明に係る浴室の構築方法では、前記第３工程において施工床部に配置した架台に、壁載置部及びパン部を設置できる。
【００１０】
施工を容易にするために請求項３記載の本発明が採用した手段は、前記パン部を設置する支持部と前記壁載置部を一体に備えた架台を用い、前記第３工程において該架台を前記施工床部に配置する請求項１記載の浴室の構築方法である。
【００１１】
請求項３記載の発明に係る浴室の構築方法では、前記第３工程において施工床部に配置した壁載置部のある架台に、パン部を設置できる。
【００１２】
大掛かりな作業とならずに構築でき、また構築後に生じるパン床下や床下回りで作業を行うために別途行う附帯作業が大掛かりとならないようにするために採用した手段は、洗い場パン部及び浴槽載置パン部を有するパン部と、パン部の外側に位置する壁載置部と、壁載置部に載置して建て込んだ壁部とを備えた浴室の構造において、パン部と壁載置部が別体であり、施工床部にパン部と壁載置部が個別に設置され、パン部が壁部を建て込んだ状態の壁載置部から分離できる浴室の構造である。
【００１３】
この浴室の構造では、パン部と壁載置部が別体に形成され、施工床部にパン部と壁載置部が個別に設置されているため、施工床部に設置面積の大きなパン部を設置する前に、施工床部にパン部より設置面積の小さな壁載置部を設置して壁部を建て込むことができ、浴室内となる予定の広い空間を利用して壁載置部の設置及び壁部の建て込みが可能となり、また、パン床下や床下回りでの作業の必要が生じたとき、壁載置部に建て込んだ壁部を解体することなく、壁部を建て込んだ状態の壁載置部から別体のパン部を分離して床下部分を露出させて作業ができ、床下部分を露出させるための附帯作業を簡単にできる。
【発明の効果】
【００１４】
請求項１記載の本発明に係る浴室の構築方法は、設置面積の大きなパン部の設置より前に、施工床部に設置面積の小さい壁載置部を設置して壁部を建て込むので、浴室内となる予定の広い空間を利用して壁部の建て込むことで、大掛かりな作業とならずに浴室を構築できる。また、パン床下や床下回りでの作業の必要が生じたとき、本発明に係る浴室の構築方法で構築された浴室は、壁載置部に建て込んだ壁部を解体することなく、壁載置部と別体のパン部を分離して床下部分を露出させて行うことができるため、床下部分を露出させるための附帯作業が大掛かりとならない。更に、本発明に係る浴室の構築方法は、壁載置部を一体に備えた浴室用防水パンを成型する成形型を用いるため、壁載置部のない防水パンを成型するための大きな成形型を新たに準備する必要がなく、また、予め別途成形した壁載置部を用いる場合であっても、壁載置部がパン部に比べて小さいために安価に製造ができ、全体として製造コストの上昇を押さえることができる。
【００１５】
請求項２記載の発明に係る浴室の構築方法では、施工床部に配置した架台を用いて壁載置部及びパン部を設置できるので、この設置の作業を軽減できる。
【００１６】
請求項３記載の本発明に係る浴室の構築方法は、壁載置部の有る架台を用いてパン部を設置できるので、壁載置部及びパン部の設置の作業を軽減できる。
【００１７】
前記浴室の構造は、施工床部に設置面積の大きなパン部を設置する前に、施工床部にパン部より設置面積の小さな壁載置部を設置して壁部を建て込むことができ、浴室内となる予定の広い空間を利用して壁載置部の設置及び壁部の建て込みが可能となるため、大掛かりな作業とならずに構築でき、また、パン床下や床下回りでの作業の必要が生じたとき、壁載置部に建て込んだ壁部を解体することなく、壁部を建て込んだ壁載置部から別体のパン部を分離して床下部分を露出させて行うことができるため、床下部分を露出させるための附帯作業が大掛かりとならない。
【発明を実施するための最良の形態】
【００１８】
本発明に係る浴室の構築方法（以下、「本発明構築方法」と言う。）及び浴室の構造（以下、「浴室構造」と言う。）を図面に示す実施形態に基づいて説明する。
【００１９】
（第１の実施の形態）
図１乃至図４は本発明構築方法の第１の実施の形態を示すものであり、図１（Ａ）は成型した浴室用防水パン３を示す斜視図、同図（Ｂ）は浴室用防水パン３を切断して得たパン部４を示す斜視図、同図（Ｃ）は浴室用防水パン３を切断して得た壁載置部７を示す斜視図、同図（Ｄ）は架台８を示す斜視図である。図２（Ａ）は施工床部Ｆに壁載置部７を設置した状態を示す中間省略した正面断面図、同図（Ｂ）は施工床部Ｆにパン部４を設置する前の状態を示す中間省略した正面断面図、図３は構築して得た浴室構造１の下半側を中間省略して示す正面断面図である。図４（Ａ）は図３（Ａ）中の一点鎖線イで囲まれた部分の拡大図、同（Ｂ）は同部分の別態様を示す拡大図である。
【００２０】
本実施の形態に係る本発明構築方法は、下記に示す第１工程乃至第５工程の各工程をこの順番で行なって浴室構造１を構築する。
【００２１】
（第１工程）
第１工程は、成形型（図示略）を用いて合成樹脂素材（例えば、繊維強化合成脂脂であるＦＲＰ）で、図１（Ａ）に示す洗い場パン部５及び浴槽載置パン部６を有するパン部４と、パン部４の洗い場パン部５及び浴槽載置パン部６の周囲に連なる壁載置部７とを一体に成型し、洗い場側防水パン及び浴槽側防水パンが一体の室用防水パン３を得ることである。上記洗い場パン部５は、床表面に排水勾配を設けた洗い場床部５ａの水下に排水凹部５ｂを凹設し、洗い場床部５ａの水上となる三方（本例は、前側、後側及び右側）の周縁に壁載置部７の一部７Ａを形成してある。また、上記浴槽載置パン部６は、洗い場床部５ａより低い底部６ａを有する凹形状となっており、環状の立ち壁６ｂの洗い場側に作業口６ｃ，６ｃが開設され、底部６ａに浴槽用排水口６ｄが開設され、立ち壁６ｂの三方（本例は、前側、後側及び左側）の周縁に壁載置部７の他部７Ｂが形成されている。壁載置部７は、洗い場側の一部７Ａと浴槽設置側の他部７Ｂが連なって環状となっており、水平の載置面７ｃ及び載置面７ｃの外周縁から立設した起立片７ｄを備えている。本例の壁載置部７は、洗い場側の一部７Ａと浴槽載置側の他部７Ｂとが同一高さ位置に形成され、載置面７ｃが水平で環状となっている。各作業口６ｃは、浴槽載置側から洗い場パン部５の床下を臨み、パン部４の固定や配管等の作業ができるようにしてあり、作業後に蓋（図示略）で塞がれる。
【００２２】
前記浴室用防水パン３は、洗い場パン部５及び浴槽設置パン部６からなるパン部４及び壁載置部７の全てを一体に成型する場合と、図示は省略したが、洗い場パン部５及び洗い場パン部５に連なる壁載置部７Ａが一体の洗い場側防水パンと、浴槽載置パン部６及び浴槽載置パン部６に連なる壁載置部７Ｂが一体の浴槽側防水パンとを別体に成型する場合とがある。
【００２３】
（第２工程）
第２工程は、浴室用防水パン３おけるパン部４と壁載置部７との境界部（図１（Ａ）の図中に破線ロで示す位置）をカッター（図示略）で切断し、図１（Ｂ）に示すパン部４と、同図（Ｃ）に示す壁載置部７とに分離することである。切断作業は、浴室用防水パン３の製造工場で能率よく行なわれるが、施工現場で切断することも可能である。なお、パン部４の洗い場パン部５と浴槽載置パン部６とを分けて成型した場合には、第１工程で成型して得た洗い場側防水パンを切断して壁載置部７の洗い場パン部側部分７Ａと洗い場パン部５とに分離すると共に、第１工程で成型して得た浴槽側防水パンを切断して壁載置部７の浴槽載置パン部側部分７Ｂと浴槽載置パン部６とに分離する。
【００２４】
（第３工程）
第３工程は、図２（Ａ）に示す如く、施工床部Ｆに、第２工程で分離した壁載置部７を、架台８に設けた支持部９を介して設置することである。架台８は、図１（Ｄ）に示す如く、金属製角パイプ等で組立てられ、四角形に枠組みした壁載置部用の支持部９と、支持部９に横架した横架部材１１ａ，１１ｂからなるパン部用の支持部１１と、両方の支持部９，１１に取り付けた複数個の高さ調節可能な脚部１２とからなる。壁載置部７は、図２（Ａ）及び図４（Ａ）に示す如く、架台８の支持部９の上面にシール層１３を介して又は介することなく配置され、ビス等の止付け具１４で取付け固定される。なお、第２工程で切断して得た壁載置部７の洗い場側部分７Ａ及び浴槽載置側部分７Ｂは、架台８に設けた支持部９に配置されて取付け固定される。
【００２５】
なお、前記壁載置部７は、第２工程で得たものが破損する等して再利用できないときには、予め別途成形したものを用いることもある。別途成形した壁載置部７には、例えば、図４（Ｂ）に示す如く、架台８の四角形に枠組みした支持部９の上面に支持部９と一体にしたものがある。このように壁載置部７を支持部９と一体に備えた場合には、支持部９の上面に壁載置部７を取付け固定する手間が省略され、施工現場における作業を軽減することが可能となる。
【００２６】
（第４工程）
第４工程は、図２（Ａ）に示す如く、架台８に設けた支持部９を介して設置された環状の壁載置部７に、壁パネル等からなる壁部１５を載置して建て込むことである。なお、壁部１５を建て込むと、壁部１５で囲まれた空間（浴室の室内となる空間）へパン部４を搬入できないときには、壁部１５を建て込む前に、又は壁部１５を建て込む途中でパン部４を搬入し、壁部１５の建て込む作業スペースを確保するように、パン部４を傾斜又は起立させておく。なお、第２工程において切断して得たパン部４の分離した洗い場パン部５及び浴槽載置パン部６は、分離した状態であっても、壁部１５で囲まれた空間（浴室の室内となる空間）へ搬入できないときには、予めこの空間へ搬入しておくとよい。
【００２７】
（第５工程）
第５工程は、図３及び図４（Ａ）に示す如く、パン部４を、架台８に設けたパン部支持用の支持部１１を介して設置することである。設置したパン部４は、その周縁が、前記壁載置部用の支持部９の内側に漏水防止のシール層１３を介して載置される。支持部１１に対するパン部４の固定は、図３に示す如く、支持部１１の横架部材１１ａに、パン部４の底面側に設けた固定片１６をビス等の連結具１７で連結して行なう。連結具１７の連結作業は、作業口６ｃを利用して行なわれる。なお、パン部４の固定の別態様としては、図４（Ｂ）に示す如く、架台８に設けた前記壁載置部用の支持部９にビス等の連結具１８で連結して行なうこともある。設置したパン部４と壁部１５の境界の内隅部は、シール材１９を充填すると共に、シール材１９を化粧材２１で覆って、止水と仕上げが行われる。更に、パン部４の固定は、上記連結具１７及び連結具１８の両方で行うこともある。
【００２８】
なお、第２工程において切断して得たパン部４の分離した洗い場パン部５及び浴槽載置パン部６の両者は、設置前に両者を接合して一体化する場合と、設置した後に両者を接合する場合とがある。
【００２９】
（その他の工程）
浴槽（図示略）の設置は、第５工程でパン部４を設置した後に、浴槽設置パン部６に載置して行う。また、出入り口扉（図示略）については、第４工程において、壁載置部７に載置して建て込むか、第５工程の後で、壁載置部７に載置して建て込む。
【００３０】
前記の第１工程乃至第５工程の各工程をこの順番で行なう本発明構築方法は、施工床部Ｆに大きなパン部４を設置する前に、施工床部Ｆに壁載置部７を設置して壁部１５を建て込むので、浴室内となる予定の広い空間Ｓ（図２（Ａ）参照）を利用して壁載置部７の設置及び壁部１５の建て込みができる。また、パン床下や床下回りでの作業の必要が生じたとき、本発明構築方法で構築された浴室は、壁載置部７に建て込んだ壁部１５を解体することなく、壁載置部７と別体のパン部４を撤去又は起立させて床下部分を露出させて必要な作業を行うことができるため、床下部分を露出させるための附帯作業が従来に比べて大掛かりとならない。更に、本発明構築方法は、壁載置部７を一体に備えた浴室用防水パン３を成型する成形型（図示略）を用いるため、壁載置部７のない防水パンを成型するための大きな成形型を新たに準備する必要がなく、また、予め別途成形した壁載置部７を用いる場合であっても、壁載置部７がパン部４に比べて小さく、また、合成樹脂成型にこだわる必要がないため、金属素材等で安価に製造ができる。また、第２工程で切断して分離した壁載置部７を再利用するときには、製造コストを更に低減できる。
【００３１】
図１（Ｄ）に示す架台８を用いるときには、壁載置部７を設置する支持部９及びパン部４を設置する支持部１１が架台８に一体に備えられているため、第３工程における壁載置部７の設置、及び第５工程におけるパン部４の設置の作業の軽減を図ることができる。
【００３２】
また、図４（Ｂ）に示す架台８を用いるときには、架台８に壁載置部７とパン部４を設置する支持部１１が一体に備えられているため、第３工程における壁載置部７の設置、及び第５工程におけるパン部４の設置の作業の軽減を図ることができる。
【００３３】
本発明構築方法で構築された浴室構造１は、図３に示す如く、洗い場パン部５及び浴槽載置パン部６を有するパン部４と、パン部４の外側に位置する壁載置部７と、壁載置部７に載置して建て込んだ壁部１５とを備え、パン部４と壁載置部７が別体であり、施工床部Ｆにパン部４と壁載置部７が個別に設置され、パン部４が壁部１５を建て込んだ状態の壁載置部７から分離できるようになっている。施工床部Ｆに対して壁載置部７は、架台８に設けられた壁載置部用の支持部９を介して設置され、施工床部Ｆに対してパン部４は、架台８に設けられたパン部用の支持部１１を介して設置されている。
【００３４】
浴室構造１は、施工床部Ｆに別体のパン部４と壁載置部７とが個別に設置されているため、施工床部Ｆに設置面積の大きなパン部４を設置する前に、施工床部Ｆにパン部４より設置面積の小さな壁載置部７を設置して壁部１５を建て込むことができ、浴室内となる予定の広い空間Ｓを利用して壁載置部７の設置及び壁部１５の建て込みが可能となり、また、パン床下Ｇや床下回りでの作業の必要が生じたとき、壁載置部７に建て込んだ壁部１５を解体することなく、壁部１５を建て込んだ状態のまま壁載置部７から別体のパン部４を分離して床下Ｇ部分を露出させて作業ができ、床下Ｇ部分を露出させるための附帯作業を簡単にできる。なお、浴室構造１は、前記本発明構築方法以外の方法で構築することも可能である。
【００３５】
（第２の実施の形態）
図５乃至図７は本発明構築方法の第２の実施の形態を示すものであり、図５（Ａ）は施工床部Ｆに設置した壁載置部７に壁部１５を建て込んだ状態を示す中間省略した正面断面図、同図（Ｂ）は施工床部Ｆにパン部４を設置する前の状態を示す中間省略した正面断面図、図６は構築して得た浴室構造３１の下半側を中間省略して示す正面断面図である。図７（Ａ）は図６中の一点鎖線ハで囲まれた部分の拡大図、同（Ｂ）は同部分の別態様を示す拡大図である。
【００３６】
本実施の形態に係る本発明構築方法及び浴室構造３１は、前記第１の実施の形態と大きく異なる点が壁載置部用の支持部３３及びパン部用の支持部３４であり、その他の部分については第１の実施の形態と実質的に同一であり、図５乃至図７において図１乃至図４と同一符号は相当部分を示す。壁載置部用の支持部３３は、平面四角形に枠組みした枠部材３３ａと、枠部材３３ａに取り付けた複数個の高さ調節可能な脚部１２とからなる。パン部用の支持部３４は、パン部４の底面の適所に取り付けた複数個の高さ調節可能な脚部からなる。
【００３７】
本実施の形態に係る本発明構築方法は、下記に示す第１工程乃至第５工程の各工程をこの順番で行なって浴室構造３１を構築する。
【００３８】
（第１〜２工程）
第１工程及び第２工程は、前記第１の実施の形態の第１工程及び第２工程と実質的に同一である。
【００３９】
（第３工程）
第３工程は、図５（Ａ）に示す如く、第２工程で分離した壁載置部７を、施工床部Ｆに支持部３３を介して設置することである。壁載置部７は、図５（Ａ）及び図７（Ａ）に示す如く、支持部３３の枠部材３３ａの上面にシール層１３を介して又は介することなく配置され、ビス等の止付け具１４で取付け固定される。
【００４０】
なお、前記壁載置部７は、第２工程で得たものが破損する等して再利用できないときには、第１の実施の形態と同様に、予め別途成形したものを用いることもある。別途成形した壁載置部７には、例えば、図７（Ｂ）に示す如く、支持部３３の枠部材３３ａの上面に支持部３３と一体にしたものがある。
【００４１】
（第４工程）
第４工程は、図５（Ａ）に示す如く、第１の実施の形態と同様に、支持部３３を介して設置された環状の壁載置部７に、壁パネル等からなる壁部１５を載置して建て込むことである。
【００４２】
（第５工程）
第５工程は、図６及び図７（Ａ）に示す如く、パン部４を、パン部４の底面に取り付けた脚部からなる支持部３４を介して施工床部Ｆ上に設置することである。支持部３３とパン部４の間には、漏水防止のシール層１３を介在させてある。パン部４の固定は、図６に示す如く、パン部４の底面側に設けた固定片３５をビス等の連結具１７で連結して行なう。連結具１７の連結作業は、作業口６ｃを利用して行なわれる。なお、パン部４の固定の別態様としては、図示は省略しだか、壁載置部用の支持部材３３の枠部材３３ａに横架して取り付けた横架材に、固定片３５をビス等の連結具１７で連結して行なうこともある。更に、パン部４の固定は、図７（Ｂ）に示す如く、支持部３３にビス等の連結具１８で連結して行なうこともある。設置したパン部４と壁部１５の境界の内隅部は、シール材１９を充填すると共に、シール材１９を化粧材２１で覆って、止水と仕上げが行われる。
【００４３】
（その他の工程）
浴槽（図示略）の設置及び出入り口扉（図示略）の建て込みについては、第１の実施の形態と実質的に同一である。
【００４４】
前記の第１工程乃至第５工程の各工程をこの順番で行なう本発明構築方法で構築された浴室構造３１は、図６に示す如く、洗い場パン部５及び浴槽載置パン部６を有するパン部４と、パン部４の外側に位置する壁載置部７と、壁載置部７に載置して建て込んだ壁部１５とを備え、パン部４と壁載置部７が別体であり、施工床部Ｆにパン部４と壁載置部７が個別に設置され、パン部４が壁部１５を建て込んだ壁載置部７から分離できるようになっている。施工床部Ｆに対して壁載置部７は、支持部３３を介して設置され、施工床部Ｆに対してパン部４は、パン部４の底面に取り付けた複数個の脚部からなる支持部３４を介して設置されている。
【００４５】
（第３の実施の形態）
図８及び図１０は本発明構築方法の第３の実施の形態を示すものであり、図８（Ａ）は成型した浴室用防水パン４３を示す中間省略した正面断面図、図８（Ｂ）は施工床部Ｆに設置した壁載置部４７に壁部１５を建て込んだ状態を示す中間省略した正面断面図である。図９は構築して得た浴室構造４１の下半側を中間省略して示す正面断面図である。図１０（Ａ）は図９中の一点鎖線ニで囲まれた部分の拡大図、同（Ｂ）は同部分の別態様を示す拡大図である。
【００４６】
本実施の形態に係る本発明構築方法及び浴室構造４１は、前記第１の実施の形態と大きく異なる点が、パン部４４を形成する洗い場パン部４５における洗い場床部４５ａの三方（本例は、前側、後側及び右側）の周囲に立ち壁部４５ｃを設け、立ち壁部４５ｃの上端縁から外側へ壁載置部４７の洗い場側４７Ａを延設したことであり、その他の部分については第１の実施の形態と実質的に同一であり、図８及び図１０において図１乃至図４と同一符号は相当部分を示す。
【００４７】
本実施の形態に係る本発明構築方法は、下記に示す第１工程乃至第５工程の各工程をこの順番で行なって浴室構造４１を構築する。
【００４８】
（第１工程）
第１工程は、成形型（図示略）を用いて合成樹脂素材で、図８（Ａ）に示す洗い場パン部４５及び浴槽載置パン部４６を有するパン部４４と、パン部４４の洗い場パン部４５及び浴槽載置パン部４６の周囲に連なる壁載置部４７とを一体に成型して浴室用防水パン４３を得ることである。上記洗い場パン部４５は、床表面に排水勾配を設けた洗い場床部４５ａの水下に排水凹部（図示略）を凹設し、洗い場床部４５ａの水上となる三方（本例は、前側、後側及び右側）の周縁に立ち壁部４５ｃを設け、立ち壁部４５ｃの上端縁から外側へ壁載置部４７の一部（洗い場側）４７Ａを延設してある。上記浴槽載置パン部４６は、洗い場床部４５ａより低い底部４６ａを有する凹形状となっており、環状の立ち壁４６ｂの洗い場側に作業口４６ｃが開設され、底部４６ａに浴槽用排水口（図示略）が開設され、立ち壁４６ｂの三方（本例は、前側（図８の図面手前側）、後側（同図の図面奥側）及び左側）の周縁に壁載置部４７の他部（浴槽設置側）４７Ｂが形成されている。壁載置部４７は、洗い場側の一部４７Ａと浴槽設置側の他部４７Ｂが連なって環状となっており、水平の載置面４７ｃ及び載置面４７ｃの外周縁から立設した起立片４７ｄを備えている。本例の壁載置部４７は、洗い場側の一部４７Ａと浴槽載置側の他部４７Ｂとが同一高さ位置に形成され、載置面４７ｃが水平で環状となっている。作業口４６ｃは、浴槽載置側から洗い場パン部４５の床下を臨み、パン部４４の固定や配管等の作業ができるようにしてあり、作業後に蓋（図示略）で塞がれる。
【００４９】
前記浴室用防水パン４３は、前記第１の実施の形態と同様に、洗い場パン部４５及び浴槽設置パン部４６からなるパン部４４及び壁載置部４７の全てを一体に成型する場合と、図示は省略したが、洗い場パン部４５及び洗い場パン部４５に連なる壁載置部４７Ａが一体の洗い場側防水パンと、浴槽載置パン部４６及び浴槽載置パン部４６に連なる壁載置部４７Ｂが一体の浴槽側防水パンとを別体に成型する場合とがある。
【００５０】
（第２工程）
第２工程は、浴室用防水パン４３おけるパン部４４と壁載置部４７との境界部（図８（Ａ）の図中に破線ロで示す位置）をカッター（図示略）で切断し、同図（Ｂ）に示す壁載置部４７と、図９に示す洗い場パン部４５及び浴槽載置パン部４６からなるパン部４４とに分離することである。なお、パン部４４の洗い場パン部４５と浴槽載置パン部４６とを分けて成型した場合には、第１工程で成型して得た洗い場側防水パンを切断して洗い場パン部４５と壁載置部４７Ａとに分離すると共に、第１工程で成型して得た浴槽側防水パンを切断して浴槽載置パン部４６と壁載置部４７Ｂとに分離する。
【００５１】
（第３工程）
第３工程は、図８（Ｂ）に示す如く、施工床部Ｆに、第２工程で分離した壁載置部４７を、架台８に設けた支持部９を介して設置することである。架台８は、前記第１の実施の形態で説明した構成となっている。壁載置部４７は、図８（Ｂ）及び図１０（Ａ）に示す如く、架台８の支持部９の上面にシール層１３を介して又は介することなく配置され、ビス等の止付け具１４で取付け固定される。
【００５２】
なお、前記壁載置部４７は、第２工程で得たものが破損する等して再利用できないときには、予め別途成形したものを用いることもある。別途成形した壁載置部４７には、例えば、図１０（Ｂ）に示す如く、架台８の四角形に枠組みした支持部９の上面に支持部９と一体にしたものがある。
【００５３】
（第４工程）
第４工程は、図８（Ｂ）に示す如く、架台８に設けた支持部９を介して設置された環状の壁載置部４７に、壁パネルからなる壁部１５を載置して建て込むことである。なお、壁部１５を建て込むと、壁部１５で囲まれた空間Ｓ（浴室の室内となる空間）へパン部４４を搬入できないときには、壁部１５を建て込む前に、又は壁部１５を建て込む途中でパン部４４を搬入し、壁部１５の建て込む作業スペースを確保するように、パン部４４を傾斜又は起立させておく。
【００５４】
（第５工程）
第５工程は、図９及び図１０（Ａ）に示す如く、パン部４４を、架台８に設けた支持部１１を介して設置することである。設置したパン部４４は、その周縁が、前記壁載置部用の支持部９の内側に漏水防止のシール層１３を介して載置される。支持部１１に対するパン部４４の固定は、図９に示す如く、支持部１１の横架部材１１ａに、パン部４４の底面側に設けた固定片５６をビス等の連結具１７で連結して行なう。連結具１７の連結作業は、作業口４６ｃを利用して行なわれる。なお、パン部４４の固定の別態様としては、図１０に示す如く、架台８に設けた前記壁載置部用の支持部９にビス等の連結具１８で連結して行なうこともある。設置したパン部４４と壁部１５の境界の内隅部は、シール材１９を充填すると共に、シール材１９を化粧材２１で覆って、止水と仕上げが行われる。更に、パン部４４の固定は、上記連結具１７及び連結具１８の両方で行うこともある。
【００５５】
なお、第２工程において切断して得たパン部４４の分離した洗い場パン部４５及び浴槽載置パン部４６の両者は、設置前に両者を接合して一体化する場合と、設置した後に両者を接合する場合とがある。
【００５６】
（その他の工程）
浴槽（図示略）の設置は、第５工程でパン部４４を設置した後に、浴槽設置バン部４６に載置して行う。また、出入り口扉（図示略）については、第４工程において、壁載置部４７に載置して建て込むか、第５工程の後で、壁載置部４７に載置して建て込む。
【００５７】
前記の第１工程乃至第５工程の各工程をこの順番で行なう本発明構築方法は、施工床部Ｆに大きなパン部４４を設置する前に、施工床部Ｆに壁載置部４７を設置して壁部１５を建て込むので、浴室内となる予定の広い空間Ｓを利用して壁載置部４７の設置及び壁部１５の建て込みができる。また、パン床下や床下回りでの作業の必要が生じたとき、本発明構築方法で構築された浴室は、壁載置部４７に建て込んだ壁部１５を解体することなく、壁載置部４７と別体のパン部４４を撤去又は起立させて床下部分を露出させて必要な作業を行うことができるため、床下部分を露出させるための附帯作業が従来に比べて大掛かりとならない。更に、本発明構築方法は、壁載置部４７を一体に備えた浴室用防水パン４３を成型する成形型（図示略）を用いるため、壁載置部４７のない防水パンを成型するための大きな成形型を新たに準備する必要がなく、また、予め別途成形した壁載置部４７を用いる場合であっても、壁載置部４７がパン部４４に比べて小さく、また、合成樹脂成型にこだわる必要がないため、金属素材等で安価に製造ができる。また、第２工程で切断して分離した壁載置部４７を再利用するときには、製造コストを更に低減できる。
【００５８】
本発明構築方法で構築された浴室構造４１は、図９に示す如く、洗い場パン部４５及び浴槽載置パン部４６を有するパン部４４と、パン部４４の外側に位置する壁載置部４７と、壁載置部４７に載置して建て込んだ壁部１５とを備え、パン部４４と壁載置部４７が別体であり、施工床部Ｆにパン部４４と壁載置部４７が個別に設置され、パン部４４が壁部１５を建て込んだ壁載置部４７から分離できるようになっている。施工床部Ｆに対して壁載置部４７は、架台８に設けられた壁載置部用の支持部９を介して設置され、施工床部Ｆに対してパン部４４は、架台８に設けられたパン部用の支持部１１を介して設置されている。
【００５９】
浴室構造４１は、施工床部Ｆに別体のパン部４４と壁載置部４７とが個別に設置されているため、施工床部Ｆに設置面積の大きなパン部４４を設置する前に、施工床部Ｆにパン部４４より設置面積の小さな壁載置部４７を設置して壁部１５を建て込むことができ、浴室内となる予定の広い空間Ｓ（図８（Ｂ）参照）を利用して壁載置部４７の設置及び壁部１５の建て込みが可能となり、また、パン床下Ｇや床下回りでの作業の必要が生じたとき、壁載置部４７に建て込んだ壁部１５を解体することなく、壁部１５を建て込んだ状態のまま壁載置部４７から別体のパン部４４を分離して床下Ｇ部分を露出させて作業ができ、床下Ｇ部分を露出させるための附帯作業を簡単にできる。なお、浴室構造４１は、前記本発明構築方法以外の方法で構築することも可能である。
【図面の簡単な説明】
【００６０】
【図１】本発明構築方法の第１の実施の形態を示すものであり、図（Ａ）は成型した浴室用防水パンを示す斜視図、図（Ｂ）は浴室用防水パンを切断して得たパン部を示す斜視図、図（Ｃ）は浴室用防水パンを切断して得た壁載置部を示す斜視図、図（Ｄ）は架台を示す斜視図である。
【図２】図（Ａ）は第１の実施の形態における施工床部に壁載置部を設置した状態を示す中間省略した正面断面図、図（Ｂ）は施工床部Ｆにパン部を設置する前の状態を示す中間省略した正面断面図である。
【図３】第１の実施の形態において構築して得た浴室構造の下半側を中間省略して示す正面断面図である。
【図４】図（Ａ）は図３（Ａ）中の一点鎖線イで囲まれた部分の拡大図、同（Ｂ）は同部分の別態様を示す拡大図である。
【図５】本発明構築方法の第２の実施の形態を示すものであり、図（Ａ）は施工床部に設置した壁載置部に壁部を建て込んだ状態を示す中間省略した正面断面図、図（Ｂ）は施工床部にパン部を設置する前の状態を示す中間省略した正面断面図である。
【図６】第２の実施の形態において構築して得た浴室構造の下半側を中間省略して示す正面断面図である。
【図７】図（Ａ）は図６中の一点鎖線ハで囲まれた部分の拡大図、図（Ｂ）は同部分の別態様を示す拡大図である。
【図８】本発明構築方法の第３の実施の形態を示すものであり、図（Ａ）は成型した浴室用防水パンを示す中間省略した正面断面図、図（Ｂ）は施工床部に設置した壁載置部に壁部を建て込んだ状態を示す中間省略した正面断面図である。
【図９】構築して得た浴室構造の下半側を中間省略して示す正面断面図である。
【図１０】図（Ａ）は図９中の一点鎖線ニで囲まれた部分の拡大図、図（Ｂ）は同部分の別態様を示す拡大図である。
【符号の説明】
【００６１】
１（３１，４１）…浴室構造、３（４３）…浴室用防水パン、４（４４）…パン部、５（４５）…洗い場パン部、６（４６）…浴槽設置パン部、７（４７）…壁載置部、８…架台、９（３３）…（壁載置部用）支持部、１１（３４）…（パン部用）支持部、１５…壁部
【図１】
0005030726.tif 000002
【図２】
0005030726.tif 000003
【図３】
0005030726.tif 000004
【図４】
0005030726.tif 000005
【図５】
0005030726.tif 000006
【図６】
0005030726.tif 000007
【図７】
0005030726.tif 000008
【図８】
0005030726.tif 000009
【図９】
0005030726.tif 000010
【図１０】
0005030726.tif 000011